(57)【要約】【目的】  玄関における犯罪対策を施した採光構造を提供するものである。【構成】  玄関１先に構える屋根２に採光部３を設け、外光は導入筒６を通過し玄関天井７に設ける窓８から玄関１内を照らす様にする。【選択図】図１
2007162441.tif 000002
【特許請求の範囲】
【請求項１】
玄関１先に構える屋根２に採光部３を設け、屋根内部４と天井裏５に導入筒６を設け、玄関天井７に窓８を設け、採光部３と導入筒６と窓８を連結することを特徴とする玄関の採光構造。
【請求項２】
玄関１先に構える屋根２に採光部３を設け、壁１１から突出する様にして玄関扉９を備える壁１３を設け、これにより屋根２を上限とする範囲の壁１１を除去し、壁１１と壁１３との狭間に生じる空間に外光が射し込める様にする導入筒６を設け、玄関天井７に窓８を設け、採光部３と導入筒６と窓８を連結することを特徴とする玄関の採光構造。
【発明の詳細な説明】
【発明の詳細な説明】
【技術分野】
【０００１】  本発明は玄関における採光構造に関するものである。
【背景技術】
【０００２】  玄関内の採光のために玄関扉の周辺に採光ガラスを設けたものがある。
【発明が解決しようとする課題】
【０００３】  玄関においては履物の着脱を能率的に行うために、或いは上がり框での安全の確保からも採光の必要性がある。そのために玄関扉の周辺に採光ガラスを設ける手段が講じられるが、この構成は犯罪対策の面で問題がある。つまり、外部から採光ガラスを割り、破損箇所から手等を玄関内に忍ばせることにより内側錠を施錠解除させる犯行には対処できない。本発明は玄関扉の周辺に採光ガラスを設けることなく採光が施せる構成を提供するものである。併せて、採光の構成の実施により階上に控える間取りの造作に支障を来たさない様に配慮するものである。
【課題を解決するための手段】
【０００４】  玄関１先に構える屋根２に採光部３を設け、屋根内部４と天井裏５に導入筒６を設け、玄関天井７に窓８を設け、採光部３と導入筒６と窓８を連結することで採光を行い、これにより玄関扉９周辺の採光ガラスを除去し、採光部３の設置位置が妨げになることで犯罪抑止を図る様にする。なお、採光部３はガラス板と防水枠により構成されるものである。
【発明を実施するための最良の形態】
【０００５】  図１に示す様に玄関１先に構える屋根２に採光部３を設け、採光部３の設置位置が妨げになることで犯罪抑止を図る様にしたものである。なお、屋根２はベランダ等の露台に代替しても対応可能である。採光の構成の実施に際しては階上の間取りの造作に支障を来さない、又は、玄関天井７の高さを度を越したものにしない等の制約が生じるが、図１に示すものは天井裏５の空間を利用することで解決するものである。つまり、玄関１先に構える屋根２に採光部３を設け、屋根内部４と天井裏５に導入筒６を設け、玄関天井７に窓８を設け、採光部３と導入筒６と窓８を連結する様にする。採光部３から入る外光は導入筒６を通過し玄関天井７の窓８を経て玄関１内を照らすことになる。
【実施例】
【０００６】  採光部３を設ける位置は採光量の確保の観点から屋根２の壁面又は、上面（露台の場合は露台床面に相当）となるが、図１に示すものは屋根２の壁面に設けたものである。又、採光部３に隣接する格子１０を設ける。又、導入筒６はユニット化させたものでも可能であるが、図１に示すものは板を張り合わせた角柱形状として、その実施例を図２に示す。導入筒６は屋根内部４と天井裏５とを貫通するものであるから、図２に示す様に二つのパーツを合体して機能する様にする。つまり、屋根内部４と天井裏５との境界にある壁１１を支持する間柱に対して、導入筒６を設けることに際して開る間柱と同数の溝１２をパーツの各々に設け、間柱を包括する様にして二つのパーツを合体する。この溝１２の規模は間柱の奥行きの半分の計測分を欠損させる程度である。なお、導入筒６は反射効率を高める形状とする一方、導入筒６内壁は反射効率を高めるためのシートの装着や塗布を施す。又、窓８に挟むガラス板は白濁又は半透明のアクリル等が適切であるが、導入筒６内壁を視覚的に良好な仕上げをするという条件が整うのであれば透明な素材も対応可能である。
又、図３に示すものは屋根２に採光部３を設けたものの実施例である。つまり、玄関１先に構える屋根２に採光部３を設け、壁１１から突出する様にして玄関扉９を備える壁１３を設け、これにより屋根２を上限とする範囲の壁１１を除去し、壁１１と壁１３との狭間に生じる空間に外光が射し込める様にする導入筒６を設け、玄関天井７に窓８を設け、採光部３と導入筒６と窓８を連結する様にする。又、図３に示すものは採光部３は屋根２の上面に設け、採光部３の直下に導入筒６を設け、導入筒６の直下に窓８を設ける構成として、採光部３から入る外光は導入筒６を通過し玄関天井７の窓８を経て玄関１内を照らすことになる。
なお、１４は電気照明灯を示し、又、１５は上がり框を示すものである。
【発明の効果】
【０００７】  （イ）  玄関扉９の周辺にある採光ガラスにフィルムを貼り付けて割れ難くする手段があるが、割れることはガラスの素材上の宿命であり、玄関扉９周辺の採光ガラスの除去は精神的安堵感をもたらすものである。
（ロ）  玄関扉９の周辺に設置する採光ガラスをスリット形状又は、ドット形状に分割した集合体にすることで割られた場合にも手等の部位や道具の玄関１内への侵入阻止を図る手段が考慮できる。但し、これについても上記に示す様に素材上の不安感は残り、又、これらの形状により造られる細かい光線が玄関１内に展開され、視覚的不快感が生じる懸念がある。これに対して本発明のものは外光を上方向から均一に採り入れることで自然光の如きの体感が得られる。
（ハ）  縁側の掃き出し窓やリビングの窓等は雨戸や防犯シャッターを配置することで侵入犯罪の対処ができるが、ガラス材装備の玄関扉９にはその様な設備の付加は使い勝手等の観点から困難である。但し、本発明の構成により雨戸を配置した状況の玄関扉９周辺を容易に機能させることができる。
（ニ）  図１に示すものは構成の一部である導入筒６を天井裏５に設けるため、玄関１の階上に控える間取りの造作に支障を来すことはない。同様に図３に示す構成においても階上の間取りの造作に支障を来すことはない。
（ホ）  本発明のものは採光部３を屋根２に設ける構成により玄関天井７の高さを通常範囲内に抑えることができ、均整がとれる間取りの設計が可能である。
（ヘ）  図１に示すものは導入筒６の丈は天井裏５の丈程を確保することで採光量を高めている。
（ト）  図３に示すものは採光部３と導入筒６及び、窓８をライン上に配置することで外光を効率良く玄関１内に導くことができる。なお、採光部３を屋根２の壁面と上面に併設させる応用例が考えられる。
【図面の簡単な説明】
【図１】  本発明の構成を示した、玄関１の側断面図
【図２】  導入筒６の実施例を示す斜視図
【図３】  実施例を示した、玄関１の側断面図
【符号の説明】
１  玄関                ２  屋根                  ３  採光部
４  屋根内部            ５  天井裏                ６  導入筒
７  玄関天井            ８  窓                    ９  玄関扉
１０  格子              １１  壁                  １２  溝
１３  壁                １４  電気照明灯          １５  上がり框
【図１】
2007162441.tif 000003
【図２】
2007162441.tif 000004
【図３】
2007162441.tif 000005